(57)【要約】
【課題】　使用に便利で調整が容易で携帯に便利な折り畳み自転車の提供。
【解決手段】　伸縮式ヘッドパイプセットの上端の二側のハンドルが同一側に折り畳み可能で、ヘッドパイプセットの上端に偏心回転装置が枢設され、ヘッドパイプセットの内管を外管内で駆動して伸縮させて位置決めし、シートパイプがヘッドパイプセットに枢設され、シートパイプの上端にサドルが設けられ、後部パイプがシートパイプに枢設され、且つ後部パイプとシートパイプの間に緊締装置が設けられて、シートパイプが固定され、ヘッドパイプセット、シートパイプ及び後部パイプが関節連接棒で連接され、該関節連接棒が関節の作用を提供してヘッドパイプセット、シートパイプ及び後部パイプを折り畳み或いは展開可能とする。
【選択図】　　　　図１
0003099602.tif 000002
【実用新案登録請求の範囲】
【請求項１】
　折り畳み自転車において、該折り畳み自転車は伸縮式のヘッドパイプセット、シートパイプ、後部パイプ、関節連接棒を具え、
　該伸縮式のヘッドパイプセットは、外管内に内管が設けられ、該内管内に作動棒が設けられ、該作動棒の上端の二側に第１ハンドルと第２ハンドルが設けられ、且つ該作動棒の上端に偏心回転装置が枢設され、該偏心回転装置の回転により該作動棒が該内管を駆動して該外管内で伸縮させて位置決めし、
　該シートパイプは、その末端が該ヘッドパイプセットに枢設され、該シートパイプの上端にサドルが設けられ、
　該後部パイプは、その上端が該シートパイプに枢設され、且つ該後部パイプとシートパイプの間に緊締装置が設けられ、該後部パイプが該シートパイプに対して回転して展開される時、該緊締装置により該シートパイプが固定され、
　該関節連接棒は、該ヘッドパイプセット、該シートパイプ及び該後部パイプの間に連接され、関節の作用を提供して該ヘッドパイプセット、該シートパイプ及び該後部パイプを展開させるか或いは折り畳ませることを特徴とする、折り畳み自転車。
【請求項２】
　請求項１記載の折り畳み自転車において、後部フレームが後部パイプの後部に枢設され、該後部フレームが回されて水平状態とされる時、物品を載置するのに供され、回されて垂直状態とされる時、該後部フレームが折り畳まれて該後部フレームにより地面上に立つことを特徴とする、折り畳み自転車。
【請求項３】
　請求項１記載の折り畳み自転車において、偏心回転装置が第１ハンドルと固定され、該偏心回転装置により第１ハンドルが駆動されて第２ハンドルと同一側に位置させられるか、或いは該偏心回転装置により該第１ハンドルが駆動されて第２ハンドルと反対方向に位置づけられて係合位置決めされることを特徴とする、折り畳み自転車。
【請求項４】
　請求項１記載の折り畳み自転車において、シートパイプが伸縮式のシートパイプとされたことを特徴とする、折り畳み自転車。
【請求項５】
　請求項１記載の折り畳み自転車において、緊締装置が、支持円弧片とＵ形片体とＵ形挟持体を具え、
　該支持円弧片は後部パイプに連接され、
　該Ｕ形片体は該支持円弧片に連接され、該Ｕ形片体の二つの挟持アームの内側に二つの凸点が凸設され、
　該Ｕ形挟持体はその開口が該Ｕ形片体の開口と対向し、該Ｕ形片体と枢設され、且つ二つの挟持アームを具えてこの挟持アームが該Ｕ形片体の二つの挟持アームの内側に位置し、シートパイプの外部を挟持し、後部パイプがシートパイプに対して回されて展開される時、該Ｕ形片体を駆動して回転させ、該支持円弧片に該シートパイプを支持させ、該二つの凸点により該Ｕ形挟持体を圧迫し、これにより該Ｕ形挟持体の二つの挟持アームが内縮して該シートパイプを緊締し、シートパイプ固定を達成することを特徴とする、折り畳み自転車。
【請求項６】
　請求項１記載の折り畳み自転車において、関節連接棒に固定片が設けられ、該関節連接棒が展開される時、該関節連接棒が該固定片により固定されてその折り畳み動作が制限されることを特徴とする、折り畳み自転車。
【考案の詳細な説明】
【技術分野】
【０００１】
　本考案は携帯と使用に便利な折り畳み自転車に関する。
【背景技術】
【０００２】
　現在、大衆はバス、地下鉄或いは自動車を出勤、外出或いは旅行に利用しているが、家とバス停、駐車場或いはオフィスの間、或いはバス停からビューポイントの間にかなりの距離があり、その間に適当な交通工具がなく、長く歩くために疲れてしまう場合がある。このため、短距離に交通工具がない場合、自転車の使用は多くの人にとって最良の選択である。
【０００３】
　自転車に乗ることで歩く必要はなくなるが、自転車の体積は大きく、携帯使用に不便である。このほか、現在既に折り畳み自転車の設計があるが、周知の折り畳み自転車は折り畳みが困難で面倒であるという欠点を有しており、使用に不便である。さらに周知の折り畳み自転車はある部品を取り外さねば折り畳むことができず、収納に不便であり、使用時にその部品を組み付ける必要があり、設計上、理想的でない。
　このため、以上の問題を解決し、折り畳みに便利で携帯しやすい折り畳み自転車が求められている。
【考案の開示】
【考案が解決しようとする課題】
【０００４】
　本考案の主要な目的は、一種の折り畳み自転車を提供することにあり、それは、組立動作が不要で、自転車を展開して各部品を位置決めする機能を具備し、折り畳み時に部品を取り外す必要がなく、折り畳みと展開のいずれも十分に速やかに行なえ、使用に非常に便利であり、従来の使用に不便である問題を解決するものとする。
【０００５】
　本考案のもう一つの目的は、一種の折り畳み自転車を提供することにあり、それは、使用者の体型と身長に併せてヘッドパイプとシートパイプの長さを調整でき、調整が容易であり、また、自転車を折り畳んで体積が最小である状態とすることができ、体積が小さく携帯に便利である機能を達成するものとする。
【０００６】
　本考案のさらに一つの目的は、一種の折り畳み自転車を提供することにあり、それは、安全性が高く、使用中の自動折り畳みの事故を防止したものとする。
【課題を解決するための手段】
【０００７】
　請求項１の考案は、折り畳み自転車において、該折り畳み自転車は伸縮式のヘッドパイプセット、シートパイプ、後部パイプ、関節連接棒を具え、
　該伸縮式のヘッドパイプセットは、外管内に内管が設けられ、該内管内に作動棒が設けられ、該作動棒の上端の二側に第１ハンドルと第２ハンドルが設けられ、且つ該作動棒の上端に偏心回転装置が枢設され、該偏心回転装置の回転により該作動棒が該内管を駆動して該外管内で伸縮させて位置決めし、
　該シートパイプは、その末端が該ヘッドパイプセットに枢設され、該シートパイプの上端にサドルが設けられ、
　該後部パイプは、その上端が該シートパイプに枢設され、且つ該後部パイプとシートパイプの間に緊締装置が設けられ、該後部パイプが該シートパイプに対して回転して展開される時、該緊締装置により該シートパイプが固定され、
　該関節連接棒は、該ヘッドパイプセット、該シートパイプ及び該後部パイプの間に連接され、関節の作用を提供して該ヘッドパイプセット、該シートパイプ及び該後部パイプを展開させるか或いは折り畳ませることを特徴とする、折り畳み自転車としている。
　請求項２の考案は、請求項１記載の折り畳み自転車において、後部フレームが後部パイプの後部に枢設され、該後部フレームが回されて水平状態とされる時、物品を載置するのに供され、回されて垂直状態とされる時、該後部フレームが折り畳まれて該後部フレームにより地面上に立つことを特徴とする、折り畳み自転車としている。
　請求項３の考案は、請求項１記載の折り畳み自転車において、偏心回転装置が第１ハンドルと固定され、該偏心回転装置により第１ハンドルが駆動されて第２ハンドルと同一側に位置させられるか、或いは該偏心回転装置により該第１ハンドルが駆動されて第２ハンドルと反対方向に位置づけられて係合位置決めされることを特徴とする、折り畳み自転車としている。
　請求項４の考案は、請求項１記載の折り畳み自転車において、シートパイプが伸縮式のシートパイプとされたことを特徴とする、折り畳み自転車としている。
　請求項５の考案は、請求項１記載の折り畳み自転車において、緊締装置が、支持円弧片とＵ形片体とＵ形挟持体を具え、
　該支持円弧片は後部パイプに連接され、
　該Ｕ形片体は該支持円弧片に連接され、該Ｕ形片体の二つの挟持アームの内側に二つの凸点が凸設され、
　該Ｕ形挟持体はその開口が該Ｕ形片体の開口と対向し、該Ｕ形片体と枢設され、且つ二つの挟持アームを具えてこの挟持アームが該Ｕ形片体の二つの挟持アームの内側に位置し、シートパイプの外部を挟持し、後部パイプがシートパイプに対して回されて展開される時、該Ｕ形片体を駆動して回転させ、該支持円弧片に該シートパイプを支持させ、該二つの凸点により該Ｕ形挟持体を圧迫し、これにより該Ｕ形挟持体の二つの挟持アームが内縮して該シートパイプを緊締し、シートパイプ固定を達成することを特徴とする、折り畳み自転車としている。
　請求項６の考案は、請求項１記載の折り畳み自転車において、関節連接棒に固定片が設けられ、該関節連接棒が展開される時、該関節連接棒が該固定片により固定されてその折り畳み動作が制限されることを特徴とする、折り畳み自転車としている。
【考案の効果】
【０００８】
　本考案の提供する折り畳み自転車は、組立の動作が不要で、速やかに自転車を展開させることができ且つ各部品を位置決めでき、且ついかなる部品を取り外すことなく速やかに折り畳むことができ、使用上、極めて便利である。また、ヘッドパイプセットとシートパイプを使用者の体型と身長に合わせて簡単に調整できるだけでなく、自転車を折り畳んで体積が最小の状態とすることができ、これにより体積を縮小し携帯に便利とすることができ、このほか、本考案の折り畳み自転車は安全性の機能も具備している。
【考案を実施するための最良の形態】
【０００９】
　本考案の折り畳み自転車、伸縮式ヘッドパイプセットの上端の二側のハンドルが同一側に折り畳み可能で、ヘッドパイプセットの上端に偏心回転装置が枢設され、ヘッドパイプセットの内管を外管内で駆動して伸縮させて位置決めし、シートパイプがヘッドパイプセットに枢設され、シートパイプの上端にサドルが設けられ、後部パイプがシートパイプに枢設され、且つ後部パイプとシートパイプの間に緊締装置が設けられて、シートパイプが固定され、ヘッドパイプセット、シートパイプ及び後部パイプが関節連接棒で連接され、該関節連接棒が関節の作用を提供してヘッドパイプセット、シートパイプ及び後部パイプを折り畳み或いは展開可能とする。
【実施例１】
【００１０】
　図１は本考案の斜視図である。図示されるように、本考案の折り畳み自転車は、伸縮式ヘッドパイプセット１０、該ヘッドパイプセット１０に末端が枢設され上端にサドル２２が設けられたた伸縮式シートパイプ２０、該シートパイプ２０に上端が枢設されると共にシートパイプ２０との間に緊締装置４０が設けられた後部パイプ３０を具え、該後部パイプ３０がシートパイプ２０に対して回転させられて展開される時、緊締装置４０によりシートパイプ２０が固定され、後部パイプ３０後部に後部フレーム３２が枢設されている。図２及び図３に示されるように、別に関節連接棒５０がヘッドパイプセット１０、シートパイプ２０及び後部パイプ３０の間に設けられ、関節の作用を提供してヘッドパイプセット１０、シートパイプ２０及び後部パイプ３０の展開及び折り畳みに供される。
【００１１】
　そのうち、関節連接棒５０に固定片５２が設けられ、関節連接棒５０が展開される時、固定片５２により関節連接棒５０が固定されてその折り畳み動作が制限され、この折り畳み自転車の使用中の安全性が確保される。このほか、折り畳み自転車が展開される時、後部フレーム３２が回されてそれが水平状態とされ、物品を載置する作用を提供できるものとされ、折り畳み自転車が折り畳まれた後、後部フレーム３２が回されて垂直状態とされて、後部フレーム３２が折り畳まれ、後部フレーム３２により地面上に立つことができる。
【００１２】
　図４及び図５を参照し、前述の伸縮式ヘッドパイプセット１０の伸縮と位置決め作用を説明する。まず、図４を参照されたい。伸縮式ヘッドパイプセット１０は外管１１内に内管１２が設けられ、内管１２内に作動棒１３が設けられ、その上端に凹部１３２が設けられ、作動棒１３の上端の二側に第１ハンドル１４と第２ハンドル１４’が設けられ、作動棒１３の末端に錐状ブロック１６が嵌め込まれ、錐状ブロック１６の上端に弾性手段１７、常用されるものとしてバネが連設され、且つ該弾性手段１７が作動棒１３の外部に套設されている。偏心回転装置１５は作動棒１３の上端に枢設され、二つの作動板１５２を具え、枢軸１５４が二つの作動板１５２の偏心位置及び作動棒１３を貫通して二つの作動板１５２と作動棒１３が枢設され、且つ二つの作動板１５２が第１ハンドル１４とはんだ付けされて一体とされ、並びに位置決めレバー１５６が二つの作動板１５２の間に設置されて作動棒１３の凹部１３２内に跨接され、第１ハンドル１４の位置を限定し、それを位置決めして移動不能とする。位置決めレバー１５６を回して離さなければ、第１ハンドル１４を二つの作動板１５２の回転を介して第２ハンドル１４’に向けて回転させられ、これにより二つのハンドルを折り畳むことができ、また、第１ハンドル１４が第２ハンドル１４’に向けて回転する際に、偏心回転装置１５により作動棒１３が駆動されて水平回転し、第１ハンドル１４と第２ハンドル１４’が同一側の隣り合う位置に位置するよう調整され、折り畳みに便利である。
【００１３】
　そのうち、第１ハンドル１４が第２ハンドル１４’と反対の一方に位置し、位置決めレバー１５６が作動棒１３の凹部１３２内に係合されて位置決めされる時、第１ハンドル１４は定位位置に固定され、且つ偏心回転装置１５の枢軸１５４がやや上に移動した状態とされ、連帯して作動棒１３も上に移動し、これにより錐状ブロック１６が上に移動して内管１２を外向きに開き、内管１２が外向きの水平正方向作用力を受けて外管１１と緊密に接触し、これにより内管１２位置の位置決め作用が達成される。一方、偏心回転装置１５を利用し第１ハンドル１４を図５に示される態様となすとき、枢軸１５４の位置はやや下に移動し、連帯して作動棒１３の位置も下向きに移動し、これにより錐状ブロック１６が下に移動して内管１２を開かなくなり、内管１２と外管１１の間に間隙が存在するようになり、ゆえに内管１２が外管１１内で自由に移動可能となる。この状態でヘッドパイプセット１０の伸縮長さを調整する目的が達成される。これにより伸縮式ヘッドパイプセット１０の第１ハンドル１４が折り畳まれた状態で、ヘッドパイプセット１０の伸縮長さを調整でき、その後、第１ハンドル１４が偏心回転装置１５の回転により定位位置に戻され、こうして内管１２固定の作用が達成される。
【００１４】
　図６及び図７を参照して前述の伸縮式シートパイプ２０の伸縮と緊締装置４０による位置決め作用を説明する。シートパイプ２０は外管２４と内管２６で組成され、且つ外管２４の上端側縁に環状に不連続の套設開口２８が設けられている。緊締装置４０は支持円弧片４２を具え、それはサスペンション４４を介して後部パイプ３０に連接されている。Ｕ形片体４６は支持円弧片４２に連接され、Ｕ形片体４６の二つの挟持アームの内側に二つの凸点４６２が凸設されている。及び開口がＵ形片体４６の開口と対向しＵ形片体４６と枢設されるＵ形挟持体４８が設けられ、該Ｕ形挟持体４８の二つの挟持アームはＵ形片体４６の二つの挟持アームの内側に位置し、且つ該Ｕ形挟持体４８がシートパイプ２０の套設開口２８を通り外管２４を通過して内管２６外を挟持する。後部パイプ３０がシートパイプ２０に対して回転し展開される時、緊締装置４０の枢設部分を駆動して回転させ、支持円弧片４２をシートパイプ２０に接触させてシートパイプ２０を支持させ、且つＵ形片体４６が回転してその二側の凸点４６２がＵ形挟持体４８の二つの挟持アームを圧迫し、これにより、Ｕ形挟持体４８の二つの挟持アームが内縮してシートパイプ２０の内管２６を緊締し、シートパイプ２０固定の作用が達成される。
【００１５】
　反対に、図８、９に示されるように、折り畳み自転車が折り畳まれる時、後部パイプ３０がシートパイプ２０の方向に回され、緊締装置４０が駆動されて同期に回転し、Ｕ形片体４６の二側の凸点４６２が上向きに移動してＵ形挟持体４８を圧迫しなくなり、Ｕ形挟持体４８が受ける圧迫作用力が解除されて二つの挟持アームが外向きに開いてもとの状態に回復し、シートパイプ２０の内管２６が挟持されず自由に外管２４内を移動可能となる。これにより、後部パイプ３０とシートパイプ２０が折り畳み状態にあって、シートパイプ２０の伸縮長さを調整でき、その後、後部パイプ３０をシートパイプ２０に対して回転させて展開すれば、緊締装置４０が回転し、支持円弧片４２がシートパイプ２０を支持し、且つＵ形片体４６の二側の凸点４６２がＵ形挟持体４８を圧迫し、これによりＵ形挟持体４８がシートパイプ２０の内管２６を緊締し、シートパイプ２０固定の作用が達成される。
【００１６】
　本考案の折り畳み自転車を使用する時は、図３から図１に示されるように、ヘッドパイプセット１０、シートパイプ２０及び後部パイプ３０を展開して位置決めし、並びに第１ハンドル１４を第２ハンドル１４’と反対方向の位置決め位置に回せば、自転車が図１に示される態様となり、即ち騎乗可能となり、周知の技術における一部部品の組立が必要でない。また、本考案は使用者の体型、身長によりヘッドパイプセット１０とシートパイプ２０の高さを調整でき、異なる体型の人の乗車に適合させることができる。この自転車を使用しない時は、図１から図３に示されるように、ヘッドパイプセット１０、シートパイプ２０及び後部パイプ３０を接近するように折り畳み、並びに偏心回転装置１５の作用により第１ハンドル１４を第２ハンドル１４’と同一側の位置に回転させ、且つ簡単に内管２６を最低位置に縮入させる。この時シートパイプ２０は緊締装置４０により緊締されず、ゆえに簡単にシートパイプ２０を最短状態に縮めることができ、自転車を折り畳んで体積が最小の状態とすることができ、体積を縮小し携帯に便利とする目的を達成できる。
【００１７】
　本考案の提供する折り畳み自転車は、組立の動作が不要で、速やかに自転車を展開させることができ且つ各部品を位置決めでき、且ついかなる部品を取り外すことなく速やかに折り畳むことができ、使用上、極めて便利である。また、ヘッドパイプセットとシートパイプを使用者の体型と身長に合わせて簡単に調整できるだけでなく、自転車を折り畳んで体積が最小の状態とすることができ、これにより体積を縮小し携帯に便利とすることができ、このほか、本考案の折り畳み自転車は安全性の機能も具備している。
【００１８】
　以上の実施例は本考案の特徴を説明するために提示したものであって、本考案の実施範囲を限定するものではなく、本考案に基づきなしうる細部の修飾或いは改変は、いずれも本考案の請求範囲に属するものとする。
【図面の簡単な説明】
【００１９】
【図１】本考案の斜視図である。
【図２】本考案の折り畳み動作表示図である。
【図３】本考案の折り畳み動作表示図である。
【図４】本考案のヘッドパイプセットの使用状態の表示図である。
【図５】本考案のヘッドパイプセットの折り畳み状態の表示図である。
【図６】本考案の緊締装置によるシートパイプの緊締表示図である。
【図７】本考案の緊締装置によるシートパイプの緊締表示図である。
【図８】本考案の緊締装置によるシートパイプの開放表示図である。
【図９】本考案の緊締装置によるシートパイプの開放表示図である。
【符号の説明】
【００２０】
１０　ヘッドパイプセット　　　　　１１　外管
１２　内管　　　　　　　　　　　　１３　作動棒
１３２　凹部
１４　第１ハンドル　　　　　　　　１４’　第２ハンドル
１５　偏心回転装置
１５２　作動板　　　　　　　　　　１５４　枢軸
１５６　位置決めレバー
１６　錐状ブロック　　　　　　　　１７　弾性手段
２０　シートパイプ　　　　　　　　２２　サドル
２４　外管　　　　　　　　　　　　２６　内管
２８　套設開口　　　　　　　　　　３０　後部パイプ
３２　後部フレーム　　　　　　　　４０　緊締装置
４２　支持円弧片　　　　　　　　　４４　サスペンション
４６　Ｕ形片体　　　　　　　　　　４６２　凸点
４８　Ｕ形挟持体　　　　　　　　　５０　関節連接棒
５２　固定片
【図１】
0003099602.tif 000003
【図２】
0003099602.tif 000004
【図３】
0003099602.tif 000005
【図４】
0003099602.tif 000006
【図５】
0003099602.tif 000007
【図６】
0003099602.tif 000008
【図７】
0003099602.tif 000009
【図８】
0003099602.tif 000010
【図９】
0003099602.tif 000011